(57)【特許請求の範囲】
【請求項１】
加熱室内に収納された食品を加熱手段により加熱する加熱調理装置において、前記加熱室に設けられ、前記食品に付されたバーコードを読み取る読み取り手段と、前記読み取り手段による読み取り内容に対応して食品名を表示する表示手段と、前記読み取り手段による読み取り内容に基づいて前記加熱手段を作動させて加熱調理を実行する加熱制御手段とを備え、前記加熱制御手段は、加熱開始操作に従い、まず前記読み取り手段で前記コードを読み取り、前記表示手段に読み取り内容に対応する食品名を表示した後、操作者の作動中止操作があれば動作を終了させ、また操作者の作動中止操作がなければ加熱調理を実行することを特徴とする加熱調理装置。
【発明の詳細な説明】
【０００１】
【発明の属する技術分野】
この発明は、電子レンジ等の加熱調理装置に関する。
【０００２】
【従来の技術】
例えば、特開平２−１２１２９４号には、食品に付設されその内容を表すバーコードをバーコードリーダーで読み取り、その読み取り内容に基づいて設定された時間において加熱調理動作を行う電子レンジが示されている。このような構成により、食品に対応する加熱時間を設定操作することなく加熱調理が行えるようにしている。
【０００３】
【発明が解決しようとする課題】
しかしながら、上記のようにバーコードリーダーを用いて食品内容を読み取る構成では、その操作に手間がかかり、また、バーコードリーダーを紛失したり、破損したりする問題点があった。
【０００４】
この発明は上記の事情に鑑みて行ったもので、加熱調理装置において、別個にバーコードリーダーを用いること無く食品に付されたコードを読み取って加熱調理ができるようにすることを目的とする。
【０００５】
【課題を解決するための手段】
この発明の請求項１記載の発明では、加熱室内に収納された食品を加熱手段により加熱する加熱調理装置において、前記加熱室に設けられ、前記食品に付されたバーコードを読み取る読み取り手段と、前記読み取り手段による読み取り内容に対応して食品名を表示する表示手段と、前記読み取り手段による読み取り内容に基づいて前記加熱手段を作動させて加熱調理を実行する加熱制御手段とを備え、前記加熱制御手段は、加熱開始操作に従い、まず前記読み取り手段で前記コードを読み取り、前記表示手段に読み取り内容に対応する食品名を表示した後、操作者の作動中止操作があれば動作を終了させ、また操作者の作動中止操作がなければ加熱調理を実行する構成とした。
【０００６】
【発明の実施の形態】
図１はこの発明の加熱調理装置としての電子レンジの簡略構成図である。
【０００７】
１は加熱室でその前面には扉２が設けられ、加熱室１内の下部にはモータＡ３により回転される透明のターンテーブル４が設けられている。ターンテーブル４上には食品５が載置されている。６は加熱手段としてのマグネトロンであり、８はマグネトロン６からの高周波を加熱室１内に導く導波管である。
【０００８】
そして、１０はバーコードの読み取り手段としてのカメラであり、加熱室１内の天井部に形成された凹部１４内に下方を向くように設けられている。凹部１４の開口面にはカメラ１０の保護手段としてのシャッター１２が設けられ、モータＢ１３により開閉されるようになっている。１１は食品５のバーコード部分を照明する照明手段としての照明ランプであり、加熱室１内の背部に取り付けられている。
【０００９】
図２は上記電子レンジの構成を示すブロック構成図である。
【００１０】
１５はマイクロコンピュータよりなる加熱制御手段としての制御部であり、上記のモータＡ３、マグネトロン６、カメラ１０、照明ランプ１１、モータＢ１３に加えて、加熱調理動作プログラム等を記憶するメモリ１７、操作入力のための操作部１８、各種の内容の表示を行う表示手段としての表示部１９のそれぞれが接続されている。そして、マイクロコンピュータ１５はカメラ１０からの読み取り内容、操作部１８からの操作内容の入力基づき、メモリ１７に記憶される動作プログラムに沿ってモータＡ３、マグネトロン６、照明ランプ１１、モータＢ１３のそれぞれを作動するようになっている。
【００１１】
以下、図３のフローチャートを参照して動作説明を行う。
【００１２】
まず、食品５を加熱室１内のターンテーブル４上の所定位置上に載置する。この状態ではシャッター１２は閉じていて、照明ランプ１１は点灯されていない。そして、扉２を閉じ操作部１８でスタート入力を行うことで制御部１５によりモータ１３が駆動されてシャッター１２が開かれ、また、照明ランプ１１が点灯される。これにより、カメラ１０により食品５のバーコード部分の撮影、すなわち、読み取りが行われる（ステップ１、２、３、４）。
【００１３】
そして、その読み取り内容が制御部１５に与えられると、その読み取り内容に対応するメモリ１７に記憶される食品名、例えば、コンビニエンスストアで使用される場合には「ヤキニクベントウ」等と表示部１９で表示させる（ステップ５）。これにより、操作者はその表示内容を確認し、仮に、読み取り間違いがあった場合には、操作部１８での作動中止の操作入力を行う。そして、その入力があった場合には動作は終了する（ステップ６）。読み取り間違いがなくて操作入力がない場合にはシャッター１２が閉じられ、照明ランプ１１が消灯されるとともに、モータＡ３、マグネトロン６が食品５に対応する時間作動されて加熱調理が行われ、動作が終了する（ステップ７、８、９）。
【００１４】
上記のようにして、食品５を加熱室１内の所定位置に置きスタート入力を行うだけで、その食品５に対応する加熱調理時間での調理が行われる。
【００１５】
とくに、カメラ１０は読み取り時以外はシャッター１２により覆われているので、調理の際の蒸気等により汚れること無く、これにより、常に読み込みが正確に行われるようになっている。また、読み取り時には照明ランプ１１により食品５のバーコードが照明されるので、これによっても読み取りが確実になされる。
【００１６】
さらに、もし仮に読み取り間違いがあったとしても、表示部１９でそれが判別するので、誤って加熱調理することが回避できる。
【００１７】
なお、読み取り手段としてのカメラ１０は、図４に示すように、加熱室１内の底部に設けてもよく、また、図５に示すように、加熱室１内の前位置である天井部の前側に設けてもよい。底部に設けた場合は、バーコードを常に一定の近い位置から確実に読み取れるので、食品５として種々高さが異なるようなものを加熱調理する場合に有効である。また、前位置に設けた場合は、加熱室１内に入れる際に、そのカメラ１０に食品５を手に持った状態で相対させるようにして、読み取りを確実にさせることができる。
【００１８】
また、上記のシャッター１２の開閉は、扉２の開閉信号を利用するようにして行ってもよい。
【００１９】
【発明の効果】
この発明によれば、食品を加熱室内に入れて調理の開始操作をするだけで、バーコード読み取りによる加熱調理が容易にできるほか、仮に読み取り間違いがあっても操作者は確認でき、作動中止ができるようになる。
【図面の簡単な説明】
【図１】この発明の電子レンジの実施形態の内部構成図
【図２】この発明の電子レンジの実施形態のブロック構成図
【図３】この発明の電子レンジの実施形態の動作説明のためのフローチャート
【図４】この発明の実施形態の変形例の内部構成簡略図
【図５】この発明の実施形態のさらに異なる変形例の内部構成簡略図
【符号の説明】
１    加熱室
５    食品
６    マグネトロン（加熱手段）
１０  カメラ（読み取り手段）
１１  照明ランプ（照明手段）
１２  シャッター（保護手段）
１５  マイクロコンピュータ（加熱制御手段）
１９  表示部（表示手段）
【図１】
0003588333.tif 000002
【図２】
0003588333.tif 000003
【図３】
0003588333.tif 000004
【図４】
0003588333.tif 000005
【図５】
0003588333.tif 000006